(57)【要約】  本発明は、通常の分注方法で底面や内壁にある表面の低い内容物をもはや分注できなくなった場合に対応するための内部アクセスを有する分注容器である。該内部アクセスを有する分注容器は、残留された内容物への完全なアクセスのため、隣接する半部から開くことができる。
2021526483.tif 000002
【特許請求の範囲】
【請求項１】
2つの半部((1)と(2))および旋回ヒンジ(3)を含む、内部アクセスを有する分注容器(100)であって、ここで、
該2つの半部((1)と(2))が、
高位放射状スナップ縁部(9)を備える開放式下唇部と分注キャップを受けるための開放式内部縁口部(16)を有する、高位半部(1)、および
閉鎖した底部と放射状シール(7)を備える開放式上唇部を有する、低位半部(2)
を含み、
該旋回ヒンジ(3)が、該内部アクセスを有する分注容器(100)の前記高位半部(1)を低位半部(2)と連結させ；
前部高位スナップ(6)、左側高位スナップ(4)、右側高位スナップ(10)および高位放射状スナップ縁部(9)は、凹溝部と定義され；
前部低位緩和凹部(15)内に位置する前部低位スナップ緩衝部(8)、左側低位緩和凹部(13)内に位置する左側低位スナップ緩衝部(12)、右側低位緩和凹部(14)内に位置する右側低位スナップ緩衝部(11)および低位放射状スナップ緩衝部(5)は、突出舌状部と定義され；
容器の閉鎖位置では、該前部高位スナップ(6)が、該前部低位スナップ緩衝部(8)に固定され、該左側高位スナップ(4)が、該左側低位スナップ緩衝部(12)に固定され、該右側高位スナップ(10)が、該右側低位スナップ緩衝部(11)に固定され、および、該高位放射状スナップ縁部(9)が、該低位放射状スナップ緩衝部(5)に固定され；ここで、閉鎖位置では、該内部アクセスを有する分注容器(100)の高位半部(1)と低位半部(2)が、該前部高位スナップ(6)の反対側に位置する該旋回ヒンジ(3)によって固定されて密封され；
該容器の閉鎖位置では、該前部低位緩和凹部(15)、該右側低位緩和凹部(14)および該左側低位緩和凹部(13)が、いずれも該前部高位スナップ(6)、該右側高位スナップ(10)および該左側高位スナップ(4)との間に隙間を形成し、ユーザーが該高位半部(1)と該低位半部(2)を取り外すことを可能にし、ここで、
該高位半部(1)および低位半部(2)は閉鎖位置にある時に、該シール(7)が、該内部アクセスを有する分注容器(100)の低位半部(2)の開放式上唇部の上に確実に一体化され、該内部アクセスを有する分注容器(100)を適切に密封する、内部アクセスを有する、分注容器(100)。
【請求項２】
前記開放式内部縁口部(16)が分注キャップを含む、請求項1に記載の内部アクセスを有する分注容器(100)。
【請求項３】
ロゴ、記号、マークおよび他の設計物のうちの少なくとも1つが、該内部アクセスを有する分注容器(100)の開閉に影響を与えずに、該容器の半部(1)と(2)のいずれかまたは両方の上に少なくとも配置され、エンボス加工され、または鋳造される、請求項１に記載の内部アクセスを有する分注容器(100)。
【請求項４】
前記高位半部(1)および低位半部(2)が、プラスチック、金属、セラミック、ガラスおよびその他任意の硬質材料のうちの少なくとも1種から作られる、請求項１に記載の内部アクセスを有する分注容器(100)。
【請求項５】
前記高位半部(1)および低位半部(2)のうちの少なくとも一方が、プラスチック、金属、セラミック、ガラスおよびその他任意の硬質材料のうちの少なくとも1種から作られた装飾的な外面で覆われる、請求項１に記載の内部アクセスを有する分注容器(100)。
【発明の詳細な説明】
【関連出願の相互参照】
【０００１】
出願番号15/011,424（2016年1月29日付）の部分継続出願は、出願番号14/134,224（2013年12月19日付）の部分継続出願の一つであり、現在放棄されている。
【本発明の背景技術】
【０００２】
本発明の分野
本発明は、分注容器に関する。より具体的には、本発明は、ユーザーが容器のすべての内部表面にアクセスすることを可能にする分注容器に関する。
【０００３】
関連技術の説明
固体、ゲル、糊状物、化粧品、調味料のようなあらゆる形態の粘性材料および非液体の内容物に用いられる分注容器は、通常、容器内の内容物を分注する手段を含む小さなプラスチック容器である。分注容器は、通常では容器上部にある小さな開口部から内容物を分注するため、多くの場合、重力またはユーザーが容器を強く握ることで容器にかけた圧力を利用する。一部の分注容器は、スプレーポンプまたはハンドポンプを含むことがある。これらは、ストロータイプのチューブを介して内容物を吸引し、その後、ユーザーの手、ユーザーの食品、またはユーザーがあらゆる石鹸または洗浄剤で清掃している表面に内容物を放出する。典型的な分注容器の大きさは様々であるが、通常、使用容器の中には数オンスから最大20または30オンスの液体が含まれる。一般的なハンドポンプは、分注容器の中で下向きに伸びるストロー状のチューブを用いる。多くの場合では分注容器の底面は平坦であるため、ポンプタイプの分注器が、未使用の内容物を分注容器の中に残すことがある。分注容器の中で伸びるチューブの位置から、未使用の内容物のほとんどは、チューブを通して吸引されることが不可能である。多くの場合、内容物の表面が低くなり、分注容器内に残るまでには、チューブは分注容器の中央で下向きに伸び、効率よく機能する。未使用の内容物が分注容器の内壁にも残る。したがって、通常の分注方法で残った内容物をもはや分注できなくなった際にユーザーが容器のすべての内部表面にアクセスできる分注容器があれば、有利であろう。
【本発明の簡単な概要】
【０００４】
本願発明は、完成した分注容器の構成および製造についてさらなる改良を含め、ユーザーがすべての内部表面にアクセスすることを可能にした。内部アクセスを有する分注容器の目的は、通常の分注方法で底面や内壁にある表面の低い内容物をもはや分注できなくなった場合に対応するためである。
【０００５】
本願の内部アクセスを有する分注容器(100)は、容器(100)を含む。該容器(100)が、2つの半部からなる構造をしている。即ち、高位半部(1)と低位半部(2)。該2つの半部が、旋回ヒンジ(3)と隣接し、前部低位スナップ緩衝部(8)、
左側低位スナップ緩衝部(12)、右側低位スナップ緩衝部(11)および舌の役割を果たす低位放射状スナップ緩衝部(5)から成り、該内部アクセスを有する分注容器(100)の低位半部(2)にある、固定部品の組合せ、左側高位スナップ(4)、前部高位スナップ(6)、右側高位スナップ(10)および溝の役割を果たす高位放射状スナップ縁部(9)から成り、該内部アクセスを有する分注容器(100)の高位半部(1)にある、固定部品の組合せ、および前部低位緩和凹部(15)、右側低位緩和凹部(14)、左側低位緩和凹部(13)および放射状シール(7)から成り、内部アクセスを有する分注容器(100)の低位半部(2)に分布する、付加の固定と固定解除部品と一体化され；ここで、前記低位緩和凹部(13)、(14)および(15)が、前記高位スナップ(4)、(6)および(10)の下で指に掴みられ、該内部アクセスを有する分注容器(100)の低位半部(2)と高位半部(1)を容易に分離することを可能にする。
【図面の簡単な説明】
【０００６】
１つまたは複数の実施形態に従って以下の図面を参照して本開示を詳細に説明する。該図面は、例示のみを目的として提供され、典型的または例示的な実施形態を単に示している。該図面は、読者が装置および方法を容易に理解するために提供されたものであり、本発明の幅、範囲、または応用性を限定するものと見なされるべきではない。説明を明確かつ容易にするため、該図面は必ずしも縮尺通りではないことに留意されたい。
【図１ａ−１ｃ】内部アクセスを有する分注容器(100)の透視図、側面図および背面図である。本開示の実施形態によると、中には閉鎖位置にある2つの半部、即ち、高位半部(1)と低位半部(2)が含まれている。これらは、旋回ヒンジ(3)、固定部品(4)、(6)および(10）、開放式内部縁口部(16)とロゴ(17)の領域を備えた固定解除部品(13)、(14)および(15）を介して隣接している。
【図２ａ−２ｆ】内部アクセスを有する分注容器(100)の透視図および側面図である。本開示の実施形態によると、中には開放位置にある2つの半部(1)と(2)が含まれている。
【図３ａ−３ｅ】本開示の実施形態による開放位置と閉鎖位置にある場合の内部アクセスを有する分注容器(100)の側面図である。
【図４ａ−４ｄ】本開示の実施形態による固定位置にある場合の内部アクセスを有する分注容器(100)の透視図および側面図である。
【０００７】
本明細書に含まれるいくつかの図面は、異なる視野角からの様々な実施形態を示している。付随の説明文はこのような見方を「側面図」と称する場合があるが、そのような参照は単に説明的なものであり、特に明記しない限り、すべての実施形態を特定の空間方向で実行または応用することを示唆または要求するものではない。
【０００８】
これらの図面は、網羅的であること、または開示された精確な実施形態に限定することを意図していない。様々な実施形態は変形や変更を加えて実施できること、また、本発明はその請求項およびその同等なものによってのみ限定されることを理解されたい。
【本発明の詳細な説明】
【０００９】
本明細書に記載の実施形態は例示である。これらの実施形態に関する記載は、様々な特徴を例示的な用途の文脈で描写するためのものである。当業者には明らかであるように、本発明はその趣旨または範囲から逸脱することなく、異なる代替の実施形態で実施することができる。
【００１０】
他に定義されない限り、本明細書で用いられるすべての用語は、本発明が属する技術分野の当業者によって一般に理解されるものと同様な意味を有する。
【００１１】
現在市販の分注容器は、粘性の内容物を放出して完全にアクセスできるような設計と機能を備えていない。該分注容器が内容物をもはや分注できなくなった場合に、消費者が購入した内容物へ完全にアクセスできないため、消費者に負担がかかる。また、化学物質の内容物が残ったままの分注容器は廃棄された場合、環境はそれによって汚染される可能性があるため、環境にも負担がかかる。
【００１２】
現在市販の分注容器が消費者に残留の内容物をもはや分注できなくなったら、消費者は該製品のすべての利点を享受できない。消費者は代替の方法で分注されない残留の内容物にアクセスすることにした場合（例えば、分注容器を暖めたり、切断して開けたり、または内容物が最終的に浮上がるために上下逆さまに置いたりする）、消費者は内容物への完全なアクセスが保証されず、また、分注容器が切り開かれた場合、内容物を保存できないまま、直接または間接的に危害に当たる潜在的なリスクを冒し、時間も無駄にする。
【００１３】
現在の分注容器が抱える別の潜在的なリスクは環境汚染である。消費者は化学物質の内容物が残ったままの分注容器を処分する際に、直接的または間接的に環境に大きな影響を及ぼすことがある。
【００１４】
本発明は、より良好な使用を実現するための、性能が改良されたハンドポンプおよびプッシュ式の分注容器に関する。本発明による分注容器は、容器の内部と外部における独特の特徴を利用し、該分注容器内に固定された開放、閉鎖、固定および密閉の部品を用いることによりすべての内容物へのアクセスを確実にする。
【００１５】
本発明は、2つの半部(1)と(2)、即ち、高位半部(1)および低位半部(2)、旋回ヒンジ(3)、固定部品(4)、(5)、(6)、(8)、(9)、(10)、(11)および(12)、および通常の分注方法により開放式内部縁口部(16)または分注ポンプを通して分注できない場合に残留されたあらゆる内容物に内部アクセスするために、前記高位半部(1)と低位半部(2)の中心からを開くことを可能にする固定解除部品(13)、(14)および(15)を含む、内部アクセスを有する分注容器(100)である。
【００１６】
また、高位半部(1)と低位半部(2)が、該旋回ヒンジ(3)と固定部品(4)、(5)、(6)、(8)、(9)、(10)、(11)および(12)に隣接し、固定された際における内容物の浸出を防ぐシール(7)がある。
【００１７】
（図1a）〜（図1c）および（図2a）〜（図2f）は、本開示の教示による内部アクセスを有する分注容器(100)を示す。内部アクセスを有する分注容器(100)は、2つの半部(1)と(2)、即ち、高位半部(1)と低位半部(2)、組み込まれた旋回ヒンジ(3)、低位放射状スナップ緩衝部(5)、前部低位スナップ緩衝部(8)および前部高位スナップ(6)から成る前部固定部品、旋回ヒンジ(3)の反対側の前部低位緩和凹部(15)、複数のスナップ緩衝部、即ち、右側低位スナップ緩衝部(11)と左側低位スナップ緩衝部(12)、複数のスナップ、即ち、左側高位スナップ(4)と右側高位スナップ(10)、高位放射状スナップ縁部(9)、および複数の凹部、即ち、左側低位緩和凹部(13)と右側低位緩和凹部(14)から成る固定解除部品を含む。該旋回ヒンジ(3)から90度にある必要なシール(7)は、該空間の中で内部アクセスを有する分注容器(100)の開閉、固定および固定解除を補助するように機能する。
【００１８】
一実施形態では、内部アクセスを有する分注容器(100)の開閉に影響を与えずに、ロゴ(17)、記号、標識、または他の設計物を該内部アクセスを有する分注容器(100)の高位半部(1)、低位半部(2)または両方の半部(1)と(2)の上に配置したり、エンボス加工したり、または鋳造したりしてもよい。さらに、代替として、高位半部(1)と低位半部(2)のいずれか、または両方の半部(1)と(2)は、金属、プラスチック、セラミック、またはガラス製の装飾的な外面に覆われてもよい。  
【００１９】
内部アクセスを有する分注容器(100)は、円形、正方形、八角形、三角形、または任意の他の幾何学的形状であってもよい。これは1つまたは複数の固定部品、1つまたは複数の旋回ヒンジ(3)、1つまたは複数のシール(7)を含んでもよい。これは１つまたは複数のスナップ(4)、(6)、(9)および(10)、１つまたは複数のスナップ緩衝部(5)、(8)、(11)および(12)、また、１つまたは複数の凹部(13)、(14)および(15)を有してもよい。
【００２０】
内部アクセスを有する分注容器(100)は、プラスチック、金属、セラミック、ガラス、または任意の他の硬質材料から作られてもよい。一実施形態では、次の固定部品を持ち上げることによって、該内部アクセスを有する分注容器(100)の高位半部(1)と低位半部(2)を切り離してもよい。即ち、左側高位スナップ(4)、前部高位スナップ(6)、右側高位スナップ(10)、低位放射状スナップ緩衝からの上向き方向にある高位放射状スナップ縁部(9)、前部低位スナップ緩衝部(8)、右側低位スナップ緩衝部(11)、左側低位緩和凹部(13)に補助された左側低位スナップ緩衝部(12)、右側低位緩和凹部(14)、前部低位緩和凹部(15)および旋回ヒンジ(3)。一実施形態では、複数のスナップ(4)、(6)、(9)および(10)、複数の凹部(13)、(14)および(15)を備えた複数のスナップ緩衝部(5)、(8)、(11)および(12)、並びに旋回ヒンジ(3)は、該内部アクセスを有する分注容器(100)を開閉できる。別の実施形態では、複数のスナップ(4)、(6)、(9)および(10)、複数の凹部(13)、(14)および(15)を備えた複数のスナップ緩衝部(5)、(8)、(11)および(12)、並びに旋回ヒンジ(3)は、該内部アクセスを有する分注容器(100)の中央本体に特別な位置を有してもよく、圧力、その圧力が加えられた複数のスナップ(4)、(6)、(9)および(10)、複数の凹部(13)、(14)および(15)を備えた複数のスナップ緩衝部(5)、(8)、(11)および(12)、並びに旋回ヒンジ(3)におけるその位置、または加えられた圧力の量に敏感である。例えば、複数のスナップ(4)、(6)、(9)および(10)、複数の凹部(13)、(14)および(15)を備えた複数のスナップ緩衝部(5)、(8)、(11)および(12)がどのくらいの深さまでに押さられる場合に該内部アクセスを有する分注容器(100)を開けることができるか。また別の実施形態では、複数のスナップ(4)、(6)、(9)および(10)、複数の凹部(13)、(14)および(15)を備えた複数のスナップ緩衝部(5)、(8)、(11)および(12)、並びに旋回ヒンジ(3)は、第一位置または第二位置にスライドさせることにより、該内部アクセスを有する分注容器(100)を開閉できる。即ち、該複数のスナップ(4)、(6)、(9)および(10)、複数の凹部(13)、(14)および(15)を備えた複数のスナップ緩衝部(5)、(8)、(11)および(12)、並びに旋回ヒンジ(3)は、持ち上げることではなく、スライドさせることにより、該内部アクセスを有する分注容器(100)を開けることができる。例えば、これに限定されないが、該複数のスナップ(4)、(6)、(9)および(10)、複数の凹部(13)、(14)および(15)を備えた複数のスナップ緩衝部(5)、(8)、(11)および(12)、並びに旋回ヒンジ(3)を左へスライドさせ、該内部アクセスを有する分注容器(100)を固定解除して開けることができ、また、それを右へスライドさせ、該内部アクセスを有する分注容器(100)を閉めて固定することができる。また別の実施形態では、該複数のスナップ(4)、(6)、(9)および(10)、複数の凹部(13)、(14)および(15)を備えた複数のスナップ緩衝部(5)、(8)、(11)および(12)、並びに旋回ヒンジ(3)を圧したり、スライドさせたり（上／下または左右）、回転させたり、引っ張ったり、押したり、捻じったり、またはこれらの組み合わせによってこれらを作動させることができる。例えば、複数の凹部(13)、(14)および(15)を備えた複数のスナップ緩衝部(5)、(8)、(11)および(12)、並びに旋回ヒンジ(3)を左へスライドさせて、該内部アクセスを有する分注容器(100)を固定解除して開けること��でき、また、右へスライドさせ、該内部アクセスを有する分注容器(100)を閉めて固定することができ、またはその逆もできる。
【００２１】
またに別の実施形態では、該複数のスナップ(4)、(6)、(9)および(10)、複数の凹部(13)、(14)および(15)を備えた複数のスナップ緩衝部(5)、(8)、(11)および(12)、並びに旋回ヒンジ(3)は、圧したり、スライドさせたり（上／下または左右）、回転させたり、引っ張ったり、押したり、捻じったり、またはこれらの組み合わせによって作動させることができる。
【００２２】
（図3a）〜（図3e）および（図4a）〜（図4d）は、固定解除位置および固定位置にある内部アクセスを有する分注容器(100)を示す。内部アクセスを有する分注容器(100)は、高位半部(1)、低位半部(2)、複数のスナップ(4)、(6)、(9)および(10)、複数のスナップ緩衝部(5)、(8)、(11)および(12)、複数の凹部(13)、(14)および(15)、およびシール(7)を有してもよい。また、旋回ヒンジ(3)は、内部アクセスを有する分注容器(100)の高位半部(1)と低位半部(2)を結合させ、高位半部(1)が約90度開くことを可能にする。高位半部(1)は、約90度未満、または約90度以上、例えば、約95度、約100度、約105度、約110度、約120度、約125度、約130度、約135度、約140度、約145度、約150度、または150度以上に開くことができる。
【００２３】
複数のスナップ(4)、(6)、(9)および(10)が、複数の凹部(13)、(14)および(15)並びに旋回ヒンジ(3)の補助で複数のスナップ緩衝部(5)、(8)、(11)および(12)から上へ持ち上げられるまでには、該内部アクセスを有する分注容器(100)の高位半部(1)は、閉鎖位置に留まる。該複数のスナップ(4)、(6)、(9)および(10)、複数のスナップ緩衝部(5)、(8)、(11)および(12)、複数の凹部(13)、(14)および(15)は、該複数のスナップ(4)、(6)、(9)および(10)を該複数のスナップ緩衝部(5)、(8)、(11)および(12)に繋げる任意の標準タイプのスナップ固定システムであってもよい。該複数のスナップ(4)、(6)、(9)および(10)が複数のスナップ緩衝部(5)、(8)、(11)および(12)と繋ぐ状態を保つように、これは、逆唇部、盛り上がった縁部、斜角部、舌部を備え、または任意の他の連結メカニズムを有してもよい。
【００２４】
シール(7)は、該内部アクセスを有する分注容器(100)の低位半部(2)の上唇部の上に確実に一体化され、目的の粘性内容物を保持するための充分な大きさ、重さおよび厚さになるように構成されている。そのため、該内部アクセスを有する分注容器(100)の高位半部(1)と低位半部(2)の両方が、複数のスナップ(4)、(6)、(9)および(10)、複数のスナップ緩衝部(5)、(8)、(11)および(12)、および旋回ヒンジ(3)と隣接して固定されるので、該内部アクセスを有する分注容器(100)の中央本体からの浸出はないであろう。
【００２５】
当業者が認識できるように、本教示は様々な変形版および/または改良版に修正できる。例えば、上記の様々なスナップ部品の実装は上記のように実施できるが、異なる形態に配列されてもよい。そこでは、例えば、前記複数のスナップ(4)、(6)、(9)および(10)、複数のスナップ緩衝部(5)、(8)、(11)および(12)、および複数の凹部(13)、(14)および(15)は、逆方向に配列される。即ち、両方が上向き、または一つが上向き；もう一つは下向きに配列される。また、前記旋回ヒンジ(3)およびシール(7)の実装については、異なる形態に配列されてもよい。例えば、前記旋回ヒンジ(3)は、該内部アクセスを有する分注容器(100)の右側または左側に配列されてもよく、該シール(7)は、該内部アクセスを有する分注容器(100)の高位半部(1)、低位半部の内側縁部に配列されてもよく、またはその外側に固定されてもよい。
【００２６】
以上では考えられる最良な様式および／または他の例を記載してきたが、その中で様々な変形が行われてもよく、本明細書に開示された主題が様々な形態および例で実行してもよく、また、前記教示は多数に適用できるが、ここではそのいくつかのみを記載したことは理解される。以下の請求項により本教示の真の範囲内にあるすべての適用、変形および変化を主張することが意図される。
【図１Ａ】
2021526483.tif 000003
【図１Ｂ】
2021526483.tif 000004
【図１Ｃ】
2021526483.tif 000005
【図２Ａ】
2021526483.tif 000006
【図２Ｂ】
2021526483.tif 000007
【図２Ｃ】
2021526483.tif 000008
【図２Ｄ】
2021526483.tif 000009
【図２Ｅ】
2021526483.tif 000010
【図２Ｆ】
2021526483.tif 000011
【図３Ａ】
2021526483.tif 000012
【図３Ｂ】
2021526483.tif 000013
【図３Ｃ】
2021526483.tif 000014
【図３Ｄ】
2021526483.tif 000015
【図３Ｅ】
2021526483.tif 000016
【図４Ａ】
2021526483.tif 000017
【図４Ｂ】
2021526483.tif 000018
【図４Ｃ】
2021526483.tif 000019
【図４Ｄ】
2021526483.tif 000020
【国際調査報告】
2021526483.tif 000021